(57)【要約】【課題】  遊技機の化粧板に用いる図柄シートを有効利用する。【解決手段】  遊技機の化粧板に描かれた意匠図柄９のうちの少なくとも意匠絵柄９ａと同一の図柄が印刷された図柄シート５をフレーム２に収納して絵画パネル１とした。これにより、遊技機の化粧板としてのみ使用していた図柄シート５を絵画パネル、景品及び宣伝広告板として提供することができ、化粧板に用いる図柄シートをより有効に利用することが可能になる。【選択図】  図１
0003153054.tif 000002
【実用新案登録請求の範囲】
【請求項１】
遊技機の化粧板に描かれた意匠図柄のうちの少なくとも意匠絵柄と同一の図柄が印刷された図柄シートをフレームに収納してなることを特徴とする絵画パネル。
【請求項２】
請求項１記載の絵画パネルは、遊技店における遊技媒体と交換して遊技者に提供するものであることを特徴とする遊技店における景品。
【請求項３】
請求項１記載の絵画パネルは、遊技店において宣伝広告に利用するものであることを特徴とする遊技店における宣伝広告板。
【考案の詳細な説明】
【技術分野】
【０００１】
本考案は、絵画パネル、並びにこの絵画パネルを用いた景品及び宣伝広告板に関する。
【背景技術】
【０００２】
パチンコ機等の遊技機に用いられる遊技盤には、ベニヤ板等の合板の前面に、様々な絵柄や模様が描かれた化粧板が接着されて構成されている。近年の遊技機は、電飾装置の発光態様や液晶ディスプレイによる画像表示などによって遊技者の興趣を増加させるための演出が行われているが、この化粧板の絵柄や模様をよりきらびやかなものにすることで、遊技者の興趣をより向上させる演出を行うことができる。
【０００３】
例えば、特許文献１には、透明樹脂シートに下地層を設け、この下地層に対して絵柄層、白色層、金属薄膜層及び台紙を順次設けてなる積層体を基板に接合してなる遊技機用化粧板が記載されている。特許文献１の化粧板によれば、色相を鮮明にするとともに反射光による華麗さと立体感のある絵柄を持ち、その一方で余分な反射光を遮断し、表出する反射光も減少させて余計な華美さのない落ち着いた外観を有する遊技機用化粧板を得ることができる。
【０００４】
なお、本明細書においては、遊技の演出に寄与するよう化粧板に描かれた意匠性のある絵柄や模様等のことを「意匠絵柄」とし、化粧板の製造番号等を表す化粧板の意匠性とは無関係な文字や色の組合せからなるものを「識別表示」とし、これら意匠絵柄と識別表示を総称したものを「意匠図柄」とする。また、意匠絵柄には、図柄シートに対して全体的に描かれたもののほか、部分的に描かれたものも含まれる。
【先行技術文献】
【特許文献】
【０００５】
【特許文献１】特開２０００−２３７３９０号公報
【考案の概要】
【考案が解決しようとする課題】
【０００６】
遊技機の化粧板を製造する化粧板メーカーでは、顧客からの発注に対して迅速に対応すべく、化粧板の予備を前もって用意しておく場合があるものの、一般にこのような化粧板の意匠図柄は、特定の遊技機に対してそれぞれデザインされるものであり、ある遊技機の化粧板を他の遊技機に使用することができないため、予備の化粧板は、化粧板メーカーの在庫として残ってしまう場合があった。
【０００７】
また、化粧板は、合板等の前面に貼り付けられた後にセンター役物や各種入賞口等を設けるための孔が設けられるとともに、多数の障害釘が打たれる等の加工が合板とともに施される。近年は、遊技機の部品を後継機種の遊技機に転用してリサイクル性を向上させることが行われているものの、前述の通り、化粧板の意匠図柄は特定の遊技機に対してそれぞれデザインされるものであることや、遊技機の機種によってセンター役物等を設ける開口部の大きさなども異なるため、化粧板を他の後継機種の遊技機に使用することができず、リサイクル性が悪いという問題があった。
【０００８】
また、近年は、同じコンセプトの遊技機を一連のシリーズ物として順次販売するケースや、アニメーションや著名人とタイアップした遊技機を販売するケースが増えてきている。このような遊技機に使用される化粧板には、遊技機のコンセプトに応じたデザインにしたものや、タイアップしたアニメーションのキャラクター又は著名人をイラスト化したものが意匠絵柄として描かれることも多い。
【０００９】
このように、シリーズ物の遊技機の場合には、そのシリーズの愛好者等が存在するとともに、アニメーションのキャラクターや著名人の場合には数多くのファンが存在するため、上述したイラスト等が意匠絵柄として描かれた化粧板をコレクションとして収集する人も年々増加している。しかしながら、このような愛好者等が化粧板を入手するためには、パチンコホール等の遊技店で使用済みとなって廃棄された遊技機や中古品の遊技機を購入し、その廃棄された遊技機や中古品の遊技機から化粧板を取り外すことによって化粧板を入手するという方法のみであった。また、これらのような遊技機から取り外した化粧板はセンター役物等が取り付けられていた孔等が開口しているため、孔等が空けられる前の状態の化粧板を愛好者等が手に入れることができないという問題があった。また、廃棄された遊技機や中古品の遊技機から化粧板を入手する場合も、遊技店における遊技機の入れ替えが日常的に行われるものではなく期間が限定されるものであるため、この入れ替えの時期でなければ化粧板を入手することができないという問題があった。
【００１０】
本考案は、このような問題点を解決するためになされたものであり、化粧板のリサイクル性を向上させるともに、愛好者等が化粧板を手に入れやすくさせることによって遊技店等の集客力を大幅に向上させることが可能な絵画パネル、並びにこの絵画パネルを用いた遊技店における景品及び宣伝広告板を提供することを目的とする。
【課題を解決するための手段】
【００１１】
本考案は、
（１）遊技機の化粧板に描かれた意匠図柄のうちの少なくとも意匠絵柄と同一の図柄が印刷された図柄シートをフレームに収納してなることを特徴とする絵画パネル、
（２）上記（１）記載の絵画パネルは、遊技店における遊技媒体と交換して遊技者に提供するものであることを特徴とする遊技店における景品、
（３）上記（１）記載の絵画パネルは、遊技店において宣伝広告に利用するものであることを特徴とする遊技店における宣伝広告板、
を要旨とする。
【考案の効果】
【００１２】
本考案は、遊技機における化粧板に描かれた意匠図柄のうち少なくとも意匠絵柄と同一の図柄が印刷された図柄シートを絵画パネルとして構成したので、遊技機の化粧板としてのみ使用していた図柄シートを絵画パネルとして提供することができ、化粧板が在庫として残ってしまった場合に、その在庫として残った化粧板をより有効に利用することが可能になる。
また、廃棄された遊技機や中古品の遊技機において化粧板として使用された図柄シートをフレームに収納して絵画パネルとして利用することもできるので、化粧板として用いた図柄シートのリサイクル性も向上させることが可能になる。
さらに、遊技機において化粧板として用いられていた図柄と同一の図柄が描かれた図柄シートを流通させることにより、化粧板メーカーの利益を大幅に向上させることが可能になるとともに、遊技機の愛好者や著名人のファン等も、流通されたこのような図柄シートを絵画パネルとして入手することが可能になる。また、遊技機において化粧板として使用された図柄シートをフレームに収納して流通させることで、遊技機の入れ替え等の時期に関係なく、遊技機において化粧板として使用された図柄シートを絵画パネルとして入手することが可能になる。
【図面の簡単な説明】
【００１３】
【図１】本考案の実施の形態である絵画パネルを表した斜視図である。
【図２】本実施の形態である絵画パネルの構成を表した分解斜視図である。
【考案を実施するための形態】
【００１４】
本考案の実施の形態である絵画パネルの構成を図１及び図２に基づいて説明する。図１は、本考案の実施の形態である絵画パネルを表した斜視図、図２は、本考案の実施の形態である絵画パネルの構成を表した分解斜視図である。なお、本明細書における「上下左右」とは、フレームを正面から見た場合における上下左右を意味し、「フレームの前側」とは、フレームを正面から見た場合における手前側を意味し、「フレームの裏側」とは、フレームを正面から見た場合における奥側を意味するものとする。
【００１５】
絵画パネル１は、フレーム２、透明板３、マット４、図柄シート５、台紙６及び押さえ板７を備えており、フレーム２の裏側から、透明板３、マット４、図柄シート５、台紙６及び押さえ板７が順に嵌め込まれて、フレーム２の裏側に設けられた爪状の部材により、フレーム２内に嵌め込まれた状態で固定されるようにして構成されている。
【００１６】
フレーム２は、プラスチック製の上下左右枠部材２ａ〜２ｄによって形成されている。これら枠部材２ａ〜２ｄは中空状に形成されており、Ｌ字状の連結金具（図示せず）を介して相互に連結されている。このフレーム２は、裏側には透明板３、マット４、図柄シート５、台紙６及び押さえ板７を嵌め込むことができる大きさの凹部が形成されると共に、前側には透明板３等の外形よりも小さく形成された展示窓８が略中心に形成されており、透明板３を介して図柄シート５に描かれた意匠図柄９を視認することができるようになっている。
【００１７】
なお、このフレーム２は、透明板３や図柄シート５等を嵌め込んで、図柄シート５に描かれた意匠図柄９を視認することができればよく、従来から公知のものを適宜用いてもよい。例えば、本実施の形態のフレーム２のように、上下左右の枠部材から構成されるものでなくても、フレームを一体成形したものを用いてもよい。また、フレームも木製のものやアルミニウム等の金属製のものを用いてもよく、またプラスチック以外の樹脂製のものを用いてもよい。
【００１８】
透明板３は、例えば図柄シート５に汚れや異物が付着するのを防止するためのもので、透明なアクリル板等の板材をフレーム２に嵌め込むことができる大きさにした板状部材である。なお、この透明板３は、図柄シート５を視認することができると共に、この図柄シート５を保護することができればよく、透明なガラス板等のようなアクリル板以外の透明な板材を用いてもよく、また透明なプラスチック板等のようなアクリル以外の樹脂材を用いた板材を用いてもよい。
【００１９】
マット４は、図柄シート５が透明板３と密着することによる図柄シート５の傷つきを防止するためのもので、厚紙等の部材をフレーム２に嵌め込むことができる大きさに形成されたものが用いられている。このマット４には、展示窓８よりも小さく形成された窓４ａが略中心に形成されており、図柄シート５に描かれた意匠図柄９を視認することができるようになっている。なお、このマット４は透明板３と図柄シート５との密着を防止させることができれば紙以外のものでもよく、例えばプラスチック等の樹脂材や、木等のような公知のものを適宜用いてよい。
【００２０】
図柄シート５は、遊技機の化粧板に描かれた意匠図柄のうちの少なくとも意匠絵柄９ａと同一の図柄が印刷された部材であり、本実施の形態では、遊技機の遊技盤に貼り付けられる化粧板としての意匠性を有する意匠絵柄９ａと同一の図柄と、図柄シート５の製品番号等を表す意匠性とは無関係な文字や色の組合せからなる識別表示９ｂとからなる意匠図柄９を印刷したシート状の部材が用いられる。この図柄シート５は、例えば、ポリエチレンテレフタレート（ＰＥＴ）等の透明のシート材に図柄がオフセット印刷等により印刷されたものが用いられている。
【００２１】
なお、意匠図柄９が印刷されるシート材には、例えば紙やキャブロイド、ポリプロピレン（ＰＰ）、アクリル等のような、ＰＥＴ等以外のシート材を用いてもよい。また、図柄シート５としては、在庫として所有している新品の図柄シートを用いてもよいし、廃棄された遊技機や中古品の遊技機から取り出した化粧板を図柄シートとして用いてもよい。この場合には、在庫として所有する図柄シートをより有効に利用することが可能になると共に、廃棄された遊技機や中古品の遊技機において使用した化粧板のリサイクル性も向上させることが可能になる。
【００２２】
また、意匠図柄９は、意匠絵柄９ａ及び識別表示９ｂとを併せて図柄シート５に印刷したもののほか、意匠絵柄９ａのみを意匠図柄９としてシート材に印刷してもよい。また、複数の識別表示９ｂが意匠図柄９に含まれている場合には、全ての識別表示９ｂを削除して意匠絵柄９ａのみを意匠図柄９としてシート材に印刷してもよいし、一部の識別表示９ｂを削除せずに残しておき、その残した識別表示９ｂと意匠絵柄９ａとを意匠図柄９としてシート材に印刷してもよい。また、本実施の形態では、意匠絵柄９ａがシート材に対して部分的に描かれたものを用いているが、シート材に対して全体的に描かれたものを用いてもよい。
また、シート材に図柄を印刷する方法としてはオフセット印刷以外の公知の方法を適宜用いることができ、例えばシルクスクリーン印刷や、他の方法により印刷したものを用いてもよい。
【００２３】
また、シート材としては、透明でないものを使用してもよい。例えば、白色や黒色等のシート材を用い、このシート材に意匠図柄９を描いてもよいし、透明なシート材に意匠図柄９を印刷した後、シート材の裏面全面を白色や黒色等で着色した着色層を設けてもよい。なお、この着色層は、厚みを適宜調整して後述する押さえ板７の模様等の映りこみを防止するようにしてもよく、この場合には後述する台紙６を設けなくてもよい。
【００２４】
なお、本明細書において「遊技機の化粧板に描かれた意匠図柄のうちの少なくとも意匠絵柄と同一の図柄」とは、意匠絵柄９ａのみがシート材に図柄として印刷されているもののみならず、意匠絵柄９ａと識別表示９ｂが共にシート材に図柄として印刷されているものをも含む概念である。
【００２５】
台紙６は、図柄シート５に描かれた意匠図柄９をより鮮やかに視認しやすくするとともに、押さえ板７の色や模様等の映りこみを防止するためのもので、白色の紙等をフレーム２に嵌め込むことができる大きさに形成されたものが用いられている。なお、この台紙６は、意匠図柄９を視認しやすくすることができればよく、例えば、白色にされたプラスチック等の樹脂材のような、既に公知となっている紙以外の白色のシート材を適宜用いてもよい。また、この台紙６は、図柄シート５とは別体に構成しているが、図柄シート５の裏面側に貼り付けて、図柄シート５と一体にしてもよい。また、台紙６は、図柄シート５に白色層を設けたり、押さえ板７に模様等がないものを用いることにより押さえ板７の模様等の映り込みが防止できる場合には設けなくてもよい。
【００２６】
押さえ板７は、フレーム２内に収納された図柄シート５を平面状に保持するためのもので、フレーム２に嵌め込むことができる大きさに形成された板状の部材である。この押さえ板７は、フレーム２の裏側に設けられた複数の爪状の部材（図示せず）により、フレーム２内に固定されるように構成されている。押さえ板７としては、例えば木製のものを用いることができるが、図柄シート５を平面状に保持することができるものであれば木製に限定されず、樹脂製や金属製のものを用いてもよい。
【００２７】
このような構成の絵画パネル１は、フレーム２に透明板３、マット４、図柄シート５、台紙６及び押さえ板７を順次嵌め込んだ後、フレーム２の裏側に設けられた爪状の部材によって押さえ板７がフレーム２内に固定される。このように、押さえ板７がフレーム２内に固定された状態の絵画パネル１を前側から見ると、図柄シート５に描かれた意匠図柄９のうちのマット４の窓４ａから見える図柄が透明板３を介して視認されるようになる。前述のように、この図柄シート５に描かれている意匠図柄９は、遊技機の化粧板として用いられるものと同じ意匠絵柄９ａや識別表示９ｂが描かれたものである。したがって、化粧板として用いる図柄シート５をフレーム２に嵌め込んで絵画パネル１とすることで、図柄シート５を鑑賞目的で利用するというように、図柄シート５を化粧板に用いること以外の目的にも利用することができるようになり、図柄シート５をより有効に活用することが可能になる。
【００２８】
また、図柄シート５の意匠図柄９として意匠絵柄９ａのみをシート材に印刷した図柄シート５をフレーム２に嵌め込んで絵画パネル１とすることで、化粧板の図柄として用いられていた意匠図柄９の中から、製品番号等のような図柄シートの図柄を鑑賞する上で無関係な識別表示９ｂが削除されるので、より鑑賞目的に適した絵画パネル１を得ることが可能になる。したがって、図柄シート５を鑑賞目的に利用するという、化粧板に用いること以外の目的に利用できる他に、この絵画パネル１を見る人がより鑑賞しやすい図柄とした絵画パネル１を得ることが可能になる。また、意匠絵柄９ａを図柄シート５に対して全体的に描くことにより、さらに鑑賞目的に適した絵画パネル１を得ることが可能になり、この絵画パネル１を見る人がさらにより鑑賞しやすい図柄とした絵画パネル１を得ることが可能になる。
【００２９】
また、図柄シート５には、遊技機の化粧板として実際に利用されたものを用いてもよい。例えば、遊技機の入れ替え等により廃棄された遊技機や中古品の遊技機から化粧板を取り外して回収し、この回収した化粧板を本実施の形態の図柄シート５として使用して絵画パネル１とする。このように、実際に遊技機の化粧板として利用された図柄シート５には、センター役物や各種入賞口を遊技盤に取り付ける際や、障害釘を遊技盤に打ち込む際に開けられた多数の孔等が残っており、また使用状態によっては図柄シート上に傷等が残っている場合もあるが、このような孔や傷が実際に遊技機に使用されていたという使用感を醸し出し、より鑑賞者の興味を引くものにすることが可能になる。
【００３０】
次に、本考案の第２の実施の形態について説明する。本実施の形態は、前述した第１の実施の形態である絵画を遊技店における遊技媒体と交換して遊技者に提供する景品とすることを趣旨としたものである。
本形態の景品は、第１の実施の形態で説明したものと同様の構成の絵画パネル１を、パチンコ店等の遊技店において、遊技者が獲得した賞球と交換するための景品として用いたものである。このような景品は、例えば遊技店の景品交換コーナーにおいて、他の景品と同様に壁に吊り下げたり棚の上で壁に立てかける等して陳列させておき、遊技者が獲得した賞球と交換するように利用される。
【００３１】
このように、本考案の景品は、遊技店における景品として利用することにより、既に遊技店において遊技を行っている者のほか、今まで遊技をしたことがないが、その景品としての絵画パネルを手に入れたいという者も顧客として集めることが可能になる。例えば、近年多く見られるように、アニメーションや著名人とタイアップした遊技機の化粧板に用いられる意匠図柄のうち少なくとも意匠絵柄と同一の図柄が描かれた図柄シート５をフレーム２に嵌め込み絵画パネルとし、この絵画パネル１を遊技店における景品とした場合には、従来から遊技店において遊技を行っている者のほか、その著名人のファンもその景品を手に入れようとすることになる。一方、この絵画パネル１は賞球の景品として交換することができるのみであるから、これらのファンも積極的に遊技店を訪れて遊技を行い、景品を手に入れようとするので、遊技店は、従来よりも多くの人を集客することが可能になると共に、遊技店の利益も大幅に向上させることが可能になる。
【００３２】
また、遊技機の愛好者やファン等は、従来は手に入れることが出来なかった化粧板としての図柄シートを遊技店において手に入れることが可能になる。また、化粧板として用いられる前の状態の図柄シートをフレームに嵌め込んだ絵画パネルを景品とした場合には、遊技者は多数の孔等が開けられる前の状態のものを手に入れることが可能になる。
【００３３】
次に、本考案の第３の実施の形態について説明する。本実施の形態は、前述した第１の実施の形態である絵画を遊技店において宣伝広告に利用される宣伝広告板とすることを趣旨としたものである。
本形態の宣伝広告板は、第１の実施の形態で説明した者と同様の構成の絵画パネル１をパチンコ店等のような遊技店の店頭に設置する宣伝広告板として用いるものであり、このような宣伝広告板は、イーゼルに立てかけて設置することや、店頭の壁に吊り下げることで設置することが可能である。なお、本実施の形態の宣伝広告板の設置方法はこれに限定されるものではない。
【００３４】
本考案の宣伝広告板は、例えば、遊技機の入れ替えによって新機種の遊技機を導入した際、新機種の遊技機を導入したことを広くアピールすることを目的として遊技店の店頭に設置して利用することができる。これにより、遊技者だけでなく遊技店の前を歩く通行人等にも広くアピールすることが可能になる。
【００３５】
また、本実施の形態である宣伝広告板は、図柄シート５がフレーム２に嵌め込まれたものを利用するので、単なるポスターよりも耐久性があり、宣伝広告板を長期間に渡って店頭に設置しておくことができる。したがって、長期間に渡ってその遊技機の宣伝広告を行うことが可能になる。
【００３６】
また、このような宣伝広告板が店頭に設置されることで、どの機種の遊技機が遊技店に設置されているかを広くアピールすることができる。特に、人気のある機種の遊技機や、アニメーション又は著名人とタイアップした遊技機の場合には、遊技店は、その機種の愛好者や、そのアニメーションのキャラクター又は著名人のファンを新たな顧客として集めることが可能になる。このようなキャラクター等のファンは、通常は遊技店を訪れない人でも、特定のキャラクターや著名人とタイアップした遊技機が導入されるとその遊技機を目当てに遊技店を訪れて積極的に遊技を行うことが多いので、遊技店は、そのような遊技機を設置したことを宣伝広告板で積極的にアピールすることによって、集客力と利益をより向上させることが可能になる。
【００３７】
なお、本考案の絵画パネルは、図柄シートに描かれた意匠図柄を鑑賞目的で用いたり、また遊技店における景品や宣伝広告板として用いることが可能な構成であればよく、本実施の形態のように、透明板、マット、図柄シート、台紙及び押さえ板をそれぞれフレームに嵌め込んで絵画パネルを構成することに限定されるものではない。例えば、フレームを用いた絵画パネルにおいて、マット又は台紙のいずれか一方又は両方を用いず、透明板、図柄シート及び押さえ板をフレームに嵌め込むことにより絵画パネルを構成してもよいし、フレームを使用せずに２枚の透明板で図柄シートを挟みこむことにより絵画パネルを構成してもよい。
【符号の説明】
【００３８】
１  絵画パネル
２  フレーム
３  透明板
４  マット
５  図柄シート
６  台紙
７  押さえ板
８  展示窓
９  意匠図柄
９ａ  意匠絵柄
９ｂ  識別表示
【図１】
0003153054.tif 000003
【図２】
0003153054.tif 000004